(57)【要約】【課題】  鍵の強さおよび音域にかかわらず、ハンマーを所定の角度位置に安定してバックストップさせることができるアップライトピアノのバックストップ装置を提供する。【解決手段】  弦Ｓを打弦した後、復帰回動するハンマー２０を停止させるピアノのバックストップ装置１であって、ハンマー２０に設けられ、上下方向に延びる前部の被係止部２７の前面が凸面２７ａおよび凹面の一方で構成されたキャッチャー２６と、鍵３ａまたはアクション４に設けられ、上下方向に延びる後部の係止部９の後面が凸面および凹面９ａの他方で構成され、鍵３ａの離鍵状態において、キャッチャー２６に前方から対向するとともに、ハンマー２０の復帰回動中に、キャッチャー２６を、被係止部２７が係止部９に面接触した状態で係止することによって、ハンマー２０を停止させるバックチェック８と、を備えている。【選択図】  図２
2006301356.tif 000002
【特許請求の範囲】
【請求項１】
鍵の押鍵に伴い、アクションにより突き上げられ、回動することによって弦を打弦した後、復帰回動するハンマーを停止させるピアノのバックストップ装置であって、
前記ハンマーに設けられ、上下方向に延びる被係止部を前部に有し、当該被係止部の前面が凸面および凹面の一方で構成されたキャッチャーと、
前記鍵またはアクションに設けられ、上下方向に延びる係止部を後部に有し、当該係止部の後面が凸面および凹面の他方で構成され、前記鍵の離鍵状態において、前記キャッチャーに前方から対向するとともに、前記ハンマーの前記復帰回動中に、前記キャッチャーを、前記被係止部が前記係止部に面接触した状態で係止することによって、前記ハンマーを停止させるバックチェックと、
を備えていることを特徴とするピアノのバックストップ装置。
【請求項２】
前記被係止部の前記前面は凸面で構成されており、
前記係止部の前記後面には、上下方向に延び、前記ハンマーの前記復帰回動中に、前記キャッチャーの前記被係止部を入り込ませた状態で前記キャッチャーを係止するスリットが、凹面として形成されていることを特徴とする請求項１に記載のピアノのバックストップ装置。
【発明の詳細な説明】
【技術分野】
【０００１】
本発明は、鍵の押鍵に伴い、アクションにより突き上げられ、回動することによって弦を打弦した後、復帰回動するハンマーを停止させるピアノのバックストップ装置に関する。
【背景技術】
【０００２】
通常のアップライトピアノでは、ハンマーのバットから前方に延びるキャッチャーシャンクの先端部にはキャッチャーが設けられ、また、ウィッペンの前端部に立設されたバックチェックワイヤの上端部にはバックチェックが設けられている。打弦後に復帰回動するハンマーは、キャッチャーを介してバックチェックによって所定の角度位置で係止されることによって一旦、停止し（以下「バックストップ」という）、それにより、ハンマーのリバウンドが防止される。ハンマーがバックストップされる直前においては、キャッチャーは下方に、バックチェックはほぼ水平に移動し、キャッチャーが、バックチェックの後面に当接し、バックチェックにより押圧され、両者間に発生する摩擦力によって、ハンマーがバックストップされる。このため、例えば鍵を強打した場合、すなわちハンマーに与えられた運動エネルギーが大きく、ハンマーが高速で復帰回動する場合には、キャッチャーがバックチェック上を下方に大きくスリップすることによって、ハンマーのバックストップ位置が所定の角度位置から大きくずれてしまう場合がある。
【０００３】
このように、押鍵の強さによってハンマーのバックストップ位置がばらつくと、アクションのジャックがハンマーの下方に入り込み、ジャックによる再度の突上げ可能になるタイミングもまた、ばらついてしまうことによって、鍵の連打性に悪影響を及ぼす。また、通常のアップライトピアノでは、音域間でハンマーの重量が異なるので、同じ強さで押鍵したとしても、音域間において、キャッチャーのスリップ量がばらつくことによってバックストップ位置が異なり、鍵の連打性にばらつきが生じてしまう。さらに、バックストップ位置のばらつきは、演奏者のタッチ感にも影響を及ぼし、ハンマーが所定の角度位置でスリップせずに停止したという演奏者にとって好ましい感覚（ハンマーの止まり感）が得られない。
【０００４】
このような不具合を解決するためのアップライトピアノのバックストップ装置として、例えば特許文献１に開示されたものが知られている。このバックストップ装置は、ハンマーのキャッチャーシャンクの先端部に板状のキャッチャーを有しており、その前面には、水平に延びる複数の条溝が形成されている。バックチェックは、キャッチャーのこのような条溝が形成された前面に当接し、これを押圧することにより係止することによって、ハンマーをバックストップさせる。
【０００５】
しかし、このバックストップ装置には、以下のような問題がある。すなわち、キャッチャーには、複数の条溝が形成されていることにより、キャッチャーとバックチェックの接触面積が小さくなっているので、キャッチャーの材質によっては、キャッチャーがバックチェックに当接した際に両者間に発生する摩擦力が不足するおそれがある。その場合、キャッチャーがバックチェック上をスリップしてしまい、ハンマーを所定の角度位置に安定してバックストップさせられないため、上述した種々の不具合を十分に解決できないおそれがある。
【０００６】
本発明は、上記のような課題を解決するためになされたものであり、押鍵の強さおよび音域にかかわらず、ハンマーを所定の角度位置に安定してバックストップさせることができるピアノのバックストップ装置を提供することを目的としている。
【０００７】
【特許文献１】実開昭５４−２３６２５号公報  （第２頁，第２図）
【発明の開示】
【課題を解決するための手段】
【０００８】
上記の目的を達成するために、本発明の請求項１に係る発明は、鍵の押鍵に伴い、アクションにより突き上げられ、回動することによって弦を打弦した後、復帰回動するハンマーを停止させるピアノのバックストップ装置であって、ハンマーに設けられ、上下方向に延びる被係止部を前部に有し、被係止部の前面が凸面および凹面の一方で構成されたキャッチャーと、鍵またはアクションに設けられ、上下方向に延びる係止部を後部に有し、係止部の後面が凸面および凹面の他方で構成され、鍵の離鍵状態において、キャッチャーに前方から対向するとともに、ハンマーの復帰回動中に、キャッチャーを、被係止部が係止部に面接触した状態で係止することによって、ハンマーを停止させるバックチェックと、を備えていることを特徴とする。
【０００９】
このピアノのバックストップ装置によれば、ハンマーは、押鍵に伴いアクションによって突き上げられ、打弦した後に復帰回動する途中で、キャッチャーの前部の被係止部が、バックチェックの後部の係止部に係止されることによって、復帰回動を停止する。それにより、ハンマーがバックストップされ、そのリバウンドが防止される。
【００１０】
本発明では、被係止部の前面が凸面および凹面の一方で、係止部の後面がそれらの他方で、それぞれ構成されていることにより、被係止部が係止部に係止される際には、それらの凸面と凹面が面接触するので、従来のような平面同士が面接触する場合と比較して、両者のより大きな接触面積を確保できる。その結果、バックストップのときに、係止部と被係止部の間により大きな摩擦力が確保され、キャッチャーのスリップ量を抑制することができるので、押鍵の強さや音域にかかわらず、ハンマーを所定の角度位置で安定して停止させることができる。それにより、ハンマーのバックストップ位置を、押鍵の強さおよび音域にかかわらず、ほぼ一定の位置に揃えることができるので、良好な鍵の連打性やハンマーの止まり感を得ることができる。
【００１１】
請求項２に係る発明は、請求項１に記載のピアノのバックストップ装置において、被係止部の前面は凸面で構成されており、係止部の後面には、上下方向に延び、ハンマーの復帰回動中に、キャッチャーの被係止部を入り込ませた状態でキャッチャーを係止するスリットが、凹面として形成されていることを特徴とする。
【００１２】
このような構成によれば、キャッチャーがバックチェックに係合する際、凸面で構成された被係止部の前面が、上下方向に延びるように形成された係止部のスリットに入り込み、スリットを左右に押し広げるようにして係合する。これにより、被係止部の前端部が、スリットによって挟まれた状態になり、それにより、係止部と被係止部の間に作用する摩擦力をより大きくすることができる。それにより、キャッチャーを、バックチェック上でほとんどスリップさせることなく、停止させることができるので、ハンマーのバックストップをより安定して行うことができる。
【発明を実施するための最良の形態】
【００１３】
以下、本発明の好ましい実施形態を、図面を参照しながら詳細に説明する。図１は、本発明の第１実施形態によるバックストップ装置１を適用したアップライトピアノ２（ピアノ）を、離鍵状態において示している。なお、以下の説明では、演奏者側から見たときのアップライトピアノ２の手前側を「前」、奥側を「後」として説明する。
【００１４】
このアップライトピアノ２は、鍵盤３、アクション４およびハンマー２０などを備えている。鍵盤３は、左右方向（図１の奥行方向）に並んだ多数の鍵３ａ（１つのみ図示）によって構成されている。各鍵３ａは、前後方向（図１の左右方向）の中央において、筬５に立設されたバランスピン５ａを支点として回動自在に支持されている。
【００１５】
アクション４は、鍵盤３の後端部の上方において、筬５の左右端部にそれぞれ設けたブラケット（図示せず）に取り付けられ、両ブラケットの間に設けられている。アクション４は、ウィッペン６やジャック７などを有していて、これらは、鍵３ａごとに設けられている（ともに１つのみ図示）。左右のブラケットの間には、センターレール１６およびハンマーレール１７などが渡されており、このセンターレール１６に、ウィッペンフレンジ１２およびバットフレンジ２２が、鍵３ａごとにねじ止めされている（ともに１つのみ図示）。そして、ウィッペン６が後端部において、ウィッペンフレンジ１２に回動自在に支持されている。また、ハンマー２０が下端部において、バットフレンジ２２に回動自在に支持されている。
【００１６】
ウィッペン６は、例えば、合成樹脂や木材によって所定の形状に形成されており、その前部から下方に突出するヒール部６ａを有していて、対応する鍵３ａの上面後端部に設けたキャプスタンボタン３ｂに、ヒール部６ａを介して載置されている。また、ウィッペン６の上面前端部には、バックチェックワイヤ８ａが立設されていて、その先端部にバックチェック８が取り付けられている。また、ウィッペン６の上面後端部には、後述するダンパー２８を駆動するためのスプーン１８が立設されている。また、このスプーン１８のすぐ前方には、前述したウィッペンフレンジ１２が配置されており、このウィッペンフレンジ１２は、その上部においてセンターレール１６に固定されている。
【００１７】
図２および図３に示すように、バックチェック８は、バックチェック本体９と、その後面に貼り付けられた係止部１０を有しており、後述するキャッチャー２６に前方から対向している。バックチェック本体９は、例えば合成樹脂や木材で構成され、上下方向に長いブロック状に形成されている。係止部１０は、例えば、フェルトなどの繊維材料で構成されていて、バックチェック本体９と同様、上下方向に延びている。また、両者９，１０は互いにほぼ同じ厚さを有しており、係止部１０の後面には、その上下方向にわたって溝が形成されている。この溝は、ほぼ半円形状の断面を有し、その内周面が凹面１０ａになっており、その幅は、係止部１０の幅と同等である。
【００１８】
ジャック７は、例えば、合成樹脂によって構成されており、射出成形によって一体成形されている。ジャック７は、前後方向に延びる基部７ａと、基部７ａの後端部から上方に延びるハンマー突上げ部７ｂを有している。このようなジャック７は、その基部７ａとハンマ突上げ部７ｂとの角部において、ウィッペン６のバックチェックワイヤ８ａよりも後方の位置に回動自在に支持されている。また、基部７ａとウィッペン６の間には、ジャックスプリング１１が取り付けられている。このジャックスプリング１１は、コイルばねで構成され、押鍵時に、後述するようにジャック７を付勢するためのものであり、所定のばね定数を有している。
【００１９】
ジャック７の基部７ａの上方には、レギュレティングボタン１３が設けられている。このレギュレティングボタン１３は、センターレール１６に設けられた複数のレギュレティングブラケット１４と、その前端部に取り付けられ、左右方向に延びるレギュレティングレール１５とを介して、鍵３ａごとに設けられている（いずれも１つのみ図示）。
【００２０】
また、アクション４の後方には、ダンパー２８が鍵３ａごとに設けられている（１つのみ図示）。ダンパー２８は、センターレール１６に取り付けられたダンパーフレンジ２８ｂに回動自在に取り付けられたダンパーレバー２８ｃと、ダンパーレバー２８ｃの上側にダンパーワイヤ２８ｄを介して取り付けられたダンパーヘッド２８ａと、ダンパー２８を弦Ｓ側に付勢するダンパーレバースプリング２８ｅなどで構成されている。このダンパー２８は、離鍵時に、ダンパーレバースプリング２８ｅの付勢力によって、ダンパーヘッド２８ａが弦Ｓに当接することにより止音するためのものである。
【００２１】
ハンマー２０もまた、鍵３ａごとに設けられており（１つのみ図示）、バット２１、ハンマーヘッド２４およびキャッチャー２６などを備えている。バット２１は、例えば合成樹脂により所定の形状に形成されており、その下端部において、前述したバットフレンジ２２に回動自在に支持されていて、それにより、ハンマー２０が回動自在になっている。また、バットフレンジ２２は、その下端部においてセンターレール１６に固定されている。
【００２２】
バット２１の上面には、棒状のハンマーシャンク２３が立設されている。このハンマーシャンク２３は、上下方向に延びていて、その上端部にハンマーヘッド２４が設けられている。また、バット２１には、棒状のキャッチャーシャンク２５が設けられている。このキャッチャーシャンク２５は、バット２１の前面から前方に斜め下方に延びている。キャッチャー２６は、キャッチャーシャンク２５の前端部に設けられており、図３（ａ）に示すように、前方（同図の右方）のバックチェック８に対向している。
【００２３】
キャッチャー２６は、上下方向に長いブロック状に形成されており、後面の中央においてキャッチャーシャンク２５に接続されていて、前部が被係止部２７になっている。この被係止部２７は、前方に凸のほぼ半円形状の水平断面を有し、その前面の全体を覆うように、例えば皮革で構成されたキャッチャースキン２７ａが貼り付けられている。このキャッチャースキン２７ａの前面が、上下方向に延びる半円形状の凸面２７ｂになっている。この凸面２７ｂは、前述したバックチェック８の係止部１０の凹面１０ａと相補的に形成されており、両者１０ａ，２７ｂは、同じ曲率を有している。また、被係止部２７の下端部には、滑らかにＲが付けられている。
【００２４】
以上のようなハンマー２０は、前述したジャック７のハンマー突上げ部７ｂが、バット２１の下面の前端部で構成された被突上げ部２１ｂに下方から係合し、ハンマーシャンク２３とハンマーレール１７との間にわずかな間隙を存した状態で静止している。また、バックストップ装置１は、アクション４のバックチェック８およびハンマー２０のキャッチャー２６によって構成されており、以下、このバックストップ装置１によるハンマー２０のバックストップ動作を含む上述したアクション４およびハンマー２０などの押鍵の開始から終了までの一連の動作について説明する。
【００２５】
演奏者により、図１の離鍵状態から鍵３ａが押鍵されると、その押鍵力によって、鍵３ａは、バランスピン５ａを中心として図１の時計方向に回動し、その後端部に載置されたウィッペン６は、鍵３ａによって突き上げられることにより、上方（反時計方向）に回動する。このウィッペン６の回動に伴い、ウィッペン６に設けられたジャック７およびバックチェック８などが一緒に移動し、ハンマー２０は、そのバット２１がジャック７のハンマー突上げ部７ｂによって突き上げられることにより、後方の弦Ｓに向かって反時計方向に回動する。
【００２６】
押鍵開始後、ウィッペン６が所定の角度まで、回動すると、スプーン１８が、ダンパーレバー２８ｃの下端部に当接することによって、ダンパーレバー２８ｃをダンパーレバースプリング２８ｅの付勢力に抗して時計方向に回動させる。
【００２７】
ウィッペン６がさらに所定の角度まで、回動すると、ジャック７の基部７ａの前端部が、レギュレティングボタン１３に下方から当接する。これにより、ジャック７は、レギュレティングボタン１３により上方への移動が規制されることによって、ウィッペン６に対し、ジャックスプリング１１の付勢力に抗して時計方向に回動しようとする。そして、ハンマー突上げ部７ｂがバット２１から前方に外れ（レットオフ）、ハンマー２０から離脱することにより、ジャック７がウィッペン６に対して時計方向に回動する。このレットオフにより鍵３ａのタッチ重さからハンマー２０の重量分が急激に失われることによって、タッチ重さが急激に低下する。これにより、演奏者にレットオフ感が付与される。
【００２８】
ハンマー２０は、ジャック７が離脱した後も慣性によって回動し、ハンマーヘッド２４が弦Ｓを打弦し、弦Ｓを振動させることによって演奏音を発生させる。そして、ハンマー２０は、弦Ｓの反発力によって、時計方向への復帰回動を開始する。
【００２９】
ハンマー２０は、復帰回動する途中において、バックチェック８に次のようにして係止される。ハンマー２０の復帰回動に伴い、キャッチャー２６は、バックチェック８に向かって上方から接近する。このとき、バックチェック８は、押鍵に伴ってウィッペン６と一緒にすでに移動しており、図３（ｂ）に示すように、このようなバックチェック８の凹面１０ａに、キャッチャー２６の凸面２７ｂが当接し、面接触する。この接触の前後においては、バックチェック８は、ほぼ水平に移動することにより、バックチェック８がキャッチャー２６を押圧することによって、両者８，２６間に摩擦力が発生する。その際、両者８，２６間には、凹面１０ａと凸面２７ｂが面接触し、より大きな接触面積が確保されることによって、大きな摩擦力が発生し、この摩擦力は、復帰回動するハンマー２０に対する制動力として作用する。その結果、キャッチャー２６は、バックチェック８上をほとんどスリップすることなく停止し、バックチェック８に係止されることによって、ハンマー２０は、図４に示す所定の角度位置で停止し、その復帰回動が一旦、停止させられる。以上のようなハンマー２０のバックストップ動作によって、ハンマー２０のリバウンドが防止される。
【００３０】
押鍵が終了し、鍵３ａが離鍵されることによりウィッペン６が時計方向に復帰回動を開始するのに伴い、バックチェック８もウィッペン６と一緒に移動することによって、バックチェック８がキャッチャー２６から離れる始める。それにより、両者８，２６の接触状態が解消され、ハンマー２０の係止状態が解除されることによって、ハンマー２０は復帰回動を再開する。そして、これらの鍵３ａおよびアクション４などが、図１に示す離鍵状態に復帰することによって、押鍵時および離鍵時の一連の動作が終了する。
【００３１】
以上のように、本実施形態によれば、被係止部２７の凸面２７ｂおよび係止部１０の凹面１０ａが、ともに曲面形状を有していることによって、両者２７ｂ，１０ａのより大きな接触面積を確保することができる。それにより、ハンマー２０がバックストップされるときに、係止部１０と被係止部２７の間により大きな摩擦力が確保されることによって、キャッチャー２６のスリップ量を抑制することができるので、押鍵の強さや音域にかかわらず、ハンマー２０を所定の角度位置で安定して停止させることができる。それにより、ハンマー２０のバックストップ位置を、押鍵の強さおよび音域にかかわらず、ほぼ一定の位置に揃えることができるので、良好な鍵３ａの連打性やハンマー２０の止まり感を得ることができる。
【００３２】
図５および図６は、第２実施形態のバックストップ装置３０を示している。第１実施形態のバックストップ装置１では、バックチェック８の係止部１０の凹面１０ａおよびキャッチャー２６の被係止部２７の凸面２７ｂがともに半円形状に形成されているのに対し、本実施形態では、係止部および被係止部の形状のみがバックストップ装置１と異なっている。以下、第１実施形態と共通する構成部品については同じ符号を付し、この相違点を中心として説明する。
【００３３】
本実施形態のバックチェック３１は、ブロック状のバックチェック本体３２およびその後面に貼り付けられた係止部３３を有しており、両者３２，３３は、互いにほぼ同じ厚さに形成されている。バックチェック本体３２は例えば合成樹脂や木材で、係止部３３は例えば、フェルトなどの繊維材料でそれぞれ構成されており、この係止部３３の後面には、上下方向にわたって延びる断面三角形の溝が形成されていて、その内面が凹面３３ａになっている。
【００３４】
また、ハンマー２０のキャッチャーシャンク２５の前端部には、バックチェック３１と対向するように、キャッチャー３４が設けられている。このキャッチャー３４もブロック状に形成されており、その前部が被係止部３５になっている。この被係止部３５は、上下方向に延びており、その断面形状は前方に凸の三角形状に形成されている。被係止部３５の前面には、その全体を覆うように、例えば皮革で構成されたキャッチャースキン３５ａが貼り付けられており、このキャッチャースキン３５ａの前面が、凸面３５ｂになっている。この凸面３５ｂは、上述したバックチェック３１の凹面３３ａと相補的に形成されており、両者３３ａ，３５ｂは、同じ断面形状を有している。
【００３５】
以上のようなバックチェック３１およびキャッチャー３４によってバックストップ装置３０が構成されており、他の構成および動作は基本的に第１実施形態と同様である。すなわち、ハンマー２０の復帰回動に伴い、キャッチャー３４が、バックチェック３１に向かって上方から接近し、図６（ｂ）に示すように、バックチェック３１の凹面３３ａに、キャッチャー３４の凸面３５ｂが当接し、面接触する。したがって、本実施形態においても、三角形状の被係止部３４の凸面３５ｂおよび係止部３３の凹面３３ａによって、両者３５ｂ，３３ａのより大きな接触面積を確保することができるので、第１実施形態と同様、キャッチャー３３のスリップ量を抑制でき、押鍵の強さや音域にかかわらず、ハンマー２０を所定の角度位置で安定して停止させることができる。
【００３６】
図７および図８は、第３実施形態のバックストップ装置４０を示している。本実施形態は、第１および第２実施形態と比較し、キャッチャーの被係止部およびバックチェックの係止部の構成が異なっている。以下、第１および第２実施形態と共通する構成部品については同じ符号を付し、これらの相違点を中心として説明する。
【００３７】
本実施形態のバックチェック４１は、ブロック状のバックチェック本体４２およびその後面に貼り付けられた係止部４３を有している。この係止部４３の後面には、左右方向の中央において、上下方向にわたって延び、幅の狭い溝状のスリットが形成されていて、このスリット内の左右の壁面および底面によって、凹面４３ａが構成されている。
【００３８】
また、キャッチャー４４の前面には被係止部４５が一体に設けられている。この被係止部４５は、キャッチャー４４の前面の中央に配置されており、前方に突出していて、上下方向に延びる頂部を中心として、左右対称に形成されている。その左右の面によって、凸面４５ａが構成されている。また、この凸面４５ａの幅および高さは、上端から下端部までの間では徐々に大きく、下端付近においては急に小さくなっており、それにより、全体として滴状に形成されている。
【００３９】
以上のようなバックチェック４１およびキャッチャー４４よってバックストップ装置４０が構成されており、他の構成は第１および第２実施形態と同様であるので、以下、バックストップ装置４０によるハンマー２０のバックストップ動作についてのみ説明する。
【００４０】
ハンマー２０の復帰回動に伴い、キャッチャー４４は、バックチェック４１に向かって上方から接近し、バックチェック４１の上面に、キャッチャー４４の被係止部４５の下端部が当接する。
【００４１】
その際、被係止部４５の下端部が、係止部４３のスリットに入り込み、下方に移動するに従って、図８（ｂ）に示すように、凸面４５ａにより、凹面４３ａの左右の壁面が押し広げられる。これにより、凸面４５ａが凹面４４ａによって挟みつけられ、両者４５ａ，４４ａが互いに面接触した状態になる。
【００４２】
したがって、本実施形態においても、キャッチャー４３のスリップ量を抑制することができるので、第１および第２実施形態による前述した効果を同様に得ることができる。また、キャッチャー４４がバックチェック４１に係合する際、被係止部４５の凸面４５ａが、スリット状の凹面４３ａの左右の壁面を左右に押し広げるようにして係合することによって、被係止部４５が、凹面４３ａによって挟みつけられた状態になり、それにより、係止部４３と被係止部４５の間に作用する摩擦力をより大きくすることができる。その結果、キャッチャー４４を、バックチェック４１上でほとんどスリップさせることなく停止させることができるので、ハンマー２０のバックストップをより安定して行うことができる。
【００４３】
なお、本発明は、説明した実施形態に限定されることなく、種々の態様で実施することができる。例えば、上述した各実施形態では、バックチェックの係止部側に凹面を形成し、キャッチャーの被係止部側に凸面を形成したが、これらを逆に形成してもよい。また、各実施形態では、バックチェックの凹面の断面形状は一定のものとして説明したが、これに限定されることなく、例えば、下側に向かうにつれて、凹面の深さを浅くすることなどによって、バックチェックが所定の角度位置で確実に停止するようにしてもよい。
【００４４】
また、上述した各実施形態では、本発明によるバックストップ装置を、アップライトピアノに適用した例として説明したが、グランドピアノに適用してもよい。また、実施形態で示したバックチェックやキャッチャーなどの各構成部品の材質などは、あくまで例示であり、他の適当な材質を採用することが可能である。その他、細部の構成を、本発明の趣旨の範囲内で適宜、変更することが可能である。
【図面の簡単な説明】
【００４５】
【図１】第１実施形態によるバックストップ装置を適用したアップライトピアノのハンマーおよびアクションなどを、離鍵状態において示す側面図である。
【図２】図１のバックストップ装置を示す斜視図である。
【図３】図１のバックストップ装置を、離鍵状態（ａ）およびハンマーのバックストップ状態（ｂ）においてそれぞれ示す平面図である。
【図４】図１のバックストップ装置およびアクションなどを、ハンマーのバックストップ状態において示す部分側面図である。
【図５】第２実施形態によるバックストップ装置を示す斜視図である。
【図６】図５のバックストップ装置を、離鍵状態（ａ）およびハンマーのバックストップ状態（ｂ）においてそれぞれ示す平面図である。
【図７】第３実施形態によるバックストップ装置を示す斜視図である。
【図８】図７のバックストップ装置を、離鍵状態（ａ）およびハンマーのバックストップ状態（ｂ）においてそれぞれ示す平面図である。
【符号の説明】
【００４６】
１    バックストップ装置
２    アップライトピアノ（ピアノ）
３ａ  鍵
４    アクション
５    筬
８   バックチェック
１０    係止部
１０ａ  凹面
２０    ハンマー
２６    キャッチャー
２７    被係止部
２７ｂ  凸面
３０    バックストップ装置
３１    バックチェック
３３    係止部
３３ａ  凹面
３４    キャッチャー
３５    被係止部
３５ｂ  凸面
４０    バックストップ装置
４１    バックチェック
４３    係止部
４３ａ  凹面
４４    キャッチャー
４５    被係止部
４５ａ  凸面
Ｓ    弦
【図１】
2006301356.tif 000003
【図２】
2006301356.tif 000004
【図３】
2006301356.tif 000005
【図４】
2006301356.tif 000006
【図５】
2006301356.tif 000007
【図６】
2006301356.tif 000008
【図７】
2006301356.tif 000009
【図８】
2006301356.tif 000010